(57)【要約】      （修正有）【課題】消したい文字等の記載された面積が広い場合でも狭い場合でも、手間がかからず使用することのできる消しゴムケース及びケース入り消しゴムを提供する。【解決手段】消しゴムケース２は、大消しゴム３と該大消しゴム３より小さな小消しゴム４とを収納可能であると共に、開口Ｏが形成されたケース５と、ケース５内に収納した大消しゴム３を開口Ｏから進出させることが可能であると共に、開口Ｏから進出した大消しゴム３をケース５内に退避させることが可能である第一進退手段６と、ケース５内に収納した小消しゴム４を開口Ｏから進出させることが可能であると共に、開口Ｏから進出した小消しゴム４をケース５内に退避させることが可能である第二進退手段７と、を備える、ことを特徴とする。【選択図】図４
0003217446.tif 000002
【実用新案登録請求の範囲】
【請求項１】
大消しゴムと該大消しゴムより小さな小消しゴムとを収納可能であると共に、開口が形成されたケースと、
前記ケース内に収納した前記大消しゴムを前記開口から進出させることが可能であると共に、前記開口から進出した前記大消しゴムを前記ケース内に退避させることが可能である第一進退手段と、
前記ケース内に収納した前記小消しゴムを前記開口から進出させることが可能であると共に、前記開口から進出した前記小消しゴムを前記ケース内に退避させることが可能である第二進退手段と、を備える、ことを特徴とする消しゴムケース。
【請求項２】
前記ケースの内側には、該ケース内の空間を仕切る仕切り壁が設けられており、
前記仕切り壁は、前記ケース内の空間を、前記大消しゴムを進退可能に収納する第一空間と、前記小消しゴムを進退可能に収納する第二空間とに仕切っている、請求項１に記載の消しゴムケース。
【請求項３】
前記第一進退手段は、前記大消しゴムの前記ケースに対する進退を操作するための第一操作部を有し、
前記第二進退手段は、前記小消しゴムの前記ケースに対する進退を操作するための第二操作部を有し、
前記ケースは、一対の長辺及び一対の短辺を有する底部と、前記一対の長辺にそれぞれ接続された一対の幅広側面と、前記一対の短辺にそれぞれ接続された一対の幅狭側面と、該一対の幅狭側面のうち一方の幅狭側面側に配置され且つ前記大消しゴムを進退可能に収納する第一空間と、前記一対の幅狭側面のうち他方の幅狭側面側に配置され且つ前記小消しゴムを進退可能に収納する第二空間と、を含み、
前記第一進退手段は、前記第一操作部が前記一方の幅狭側面から外方へ突設されるように、前記第一空間に配置され、
前記第二進退手段は、前記第二操作部が前記他方の幅狭側面から外方へ突設されるように、前記第二空間に配置されている、請求項１又は請求項２に記載の消しゴムケース。
【請求項４】
前記ケースにおける前記開口を区画する開口縁は、内側に延びる鍔部を有する、請求項１〜請求項３のいずれか１項に記載の消しゴムケース。
【請求項５】
前記ケースは、第一開口が形成され且つ該第一開口から前記大消しゴムを進退可能に収納する第一空間と、第二開口が形成され且つ該第二開口から前記小消しゴムを進退可能に収納する第二空間と、を備える箱型に形成され、
前記ケースの内側には、前記第一空間と前記第二空間とを仕切る仕切り壁が設けられており、
前記第一進退手段は、前記第一空間内に配置され、且つ、前記大消しゴムを保持可能な第一保持部を備え、
前記第二進退手段は、前記第二空間内に配置され、且つ、前記小消しゴムを保持可能な第二保持部を備え、
前記第一保持部は、前記大消しゴムを保持可能であり、前記大消しゴムを進退させるように前記第一空間内で移動可能な第一本体部位と、該第一本体部位から前記第一空間を区画する第一内周面に向かって外側に突出する第一突出部位と、を有し、
前記第二保持部は、前記小消しゴムを保持可能であり、前記小消しゴムを進退させるように前記第二空間内で移動可能な第二本体部位と、該第二本体部位から前記第二空間を区画する第二内周面に向かって外側に突出する第二突出部位と、を有し、
前記ケースにおける前記第一開口を区画する開口縁及び前記第二開口を区画する開口縁は、それぞれ、内側に延びる鍔部を有する、請求項１〜請求項３のいずれか１項に記載の消しゴムケース。
【請求項６】
請求項１〜請求項５のいずれか１項に記載の消しゴムケースと、前記大消しゴムと、前記小消しゴム、とを備える、ケース入り消しゴム。
【考案の詳細な説明】
【技術分野】
【０００１】
本考案は、大きさの異なる消しゴムを使い分け可能な消しゴムケース及びこの消しゴムケースを備えるケース入り消しゴムに関する。
【背景技術】
【０００２】
従来、スライダーのような進退手段を用いて消しゴムを進退可能な消しゴムケースが知られている（例えば、特許文献１参照）。ケース入り消しゴムは、図８に示すように、ケース１０２と、ケース１０２に収納可能な消しゴム１０３と、を備える。ケース１０２は、前後方向に細長い扁平箱体状である。また、ケース１０２には、スリット１１２が設けられている。さらに、ケース１０２内には、スリット１１２を介してスライダー１７０が挿入されている。スライダー１７０は、消しゴム１０３の後部に接続されている。ケース入り消しゴム１０１において、消しゴム１０３は、スライダー１７０を前方にスライドさせることでケース１０２から進出し、スライダー１７０を後方にスライドさせることでケース１０２内に退避する。
【先行技術文献】
【特許文献】
【０００３】
【特許文献１】実開平１−１３２７９２号公報
【考案の概要】
【考案が解決しようとする課題】
【０００４】
前記ケース１０２では、消したい文字等の記載された範囲が広い場合には何度も消しゴム１０３で紙をこする必要があり、消したい文字等の記載された範囲が狭い場合には消しゴム１０３の一部分で紙をこする等の細かい作業が必要であるため、手間がかかっていた。尚、このようなことは、スライダー以外の進退手段を備えたケース入り消しゴムについても同様である。
【０００５】
本考案は、斯かる実情に鑑み、消したい文字等の記載された面積が広い場合でも狭い場合でも、手間がかからず使用することのできる消しゴムケース及びケース入り消しゴムを提供することを目的とする。
【課題を解決するための手段】
【０００６】
本考案にかかる消しゴムケースは、大消しゴムと該大消しゴムより小さな小消しゴムとを収納可能であると共に、開口が形成されたケースと、前記ケース内に収納した前記大消しゴムを前記開口から進出させることが可能であると共に、前記開口から進出した前記大消しゴムを前記ケース内に退避させることが可能である第一進退手段と、前記ケース内に収納した前記小消しゴムを前記開口から進出させることが可能であると共に、前記開口から進出した前記小消しゴムを前記ケース内に退避させることが可能である第二進退手段と、を備える、ことを特徴とする。
【０００７】
かかる構成によれば、第一進退手段により大消しゴムを進出させると共に第二進退手段により小消しゴムを退避させることで、大消しゴムにより広い範囲を容易に消すことができる。また、第一進退手段により大消しゴムを退避させると共に第二進退手段により小消しゴムを進出させることで、小消しゴムにより狭い範囲を容易に消すことができる。
【０００８】
前記消しゴムケースでは、前記ケースの内側には、該ケース内の空間を仕切る仕切り壁が設けられており、前記仕切り壁は、前記ケース内の空間を、前記大消しゴムを進退可能に収納する第一空間と、前記小消しゴムを進退可能に収納する第二空間とに仕切っていてもよい。
【０００９】
かかる構成によれば、大消しゴムが進退する第一空間と小消しゴムが進退する第二空間とが仕切り壁により仕切られているため、大消しゴム及び小消しゴムがお互いの進退を邪魔することを抑制できる。
【００１０】
前記消しゴムケースでは、前記第一進退手段は、前記大消しゴムの前記ケースに対する進退を操作するための第一操作部を有し、前記第二進退手段は、前記小消しゴムの前記ケースに対する進退を操作するための第二操作部を有し、前記ケースは、一対の長辺及び一対の短辺を有する底部と、前記一対の長辺にそれぞれ接続された一対の幅広側面と、前記一対の短辺にそれぞれ接続された一対の幅狭側面と、該一対の幅狭側面のうち一方の幅狭側面側に配置され且つ前記大消しゴムを進退可能に収納する第一空間と、前記一対の幅狭側面のうち他方の幅狭側面側に配置され且つ前記小消しゴムを進退可能に収納する第二空間と、を含み、前記第一進退手段は、前記第一操作部が前記一方の幅狭側面から外方へ突設されるように、前記第一空間に配置され、前記第二進退手段は、前記第二操作部が前記他方の幅狭側面から外方へ突設されるように、前記第二空間に配置されていてもよい。
【００１１】
かかる構成によれば、第一操作部が一方の幅狭側面から突設されると共に、第二操作部が他方の幅狭側面から突設されているため、使用者が、消しゴムで文字等を消す際にケースの幅広側面を持ちやすく、安定的に消しゴムケースを保持することができる。
【００１２】
前記消しゴムケースでは、前記ケースにおける前記開口を区画する開口縁は、内側に延びる鍔部を有してもよい。
【００１３】
かかる構成によれば、開口が鍔部の分だけケース内部よりも狭くなっているため、大消しゴムや小消しゴムはケースから進出した状態において鍔部によってぐらつきが規制されることにより、安定的に使用される。
【００１４】
前記消しゴムケースでは、前記ケースは、第一開口が形成され且つ該第一開口から前記大消しゴムを進退可能に収納する第一空間と、第二開口が形成され且つ該第二開口から前記小消しゴムを進退可能に収納する第二空間と、を備える箱型に形成され、前記ケースの内側には、前記第一空間と前記第二空間とを仕切る仕切り壁が設けられており、前記第一進退手段は、前記第一空間内に配置され、且つ、前記大消しゴムを保持可能な第一保持部を備え、前記第二進退手段は、前記第二空間内に配置され、且つ、前記小消しゴムを保持可能な第二保持部を備え、前記第一保持部は、前記大消しゴムを保持可能であり、前記大消しゴムを進退させるように前記第一空間内で移動可能な第一本体部位と、該第一本体部位から前記第一空間を区画する第一内周面に向かって外側に突出する第一突出部位と、を有し、前記第二保持部は、前記小消しゴムを保持可能であり、前記小消しゴムを進退させるように前記第二空間内で移動可能な第二本体部位と、該第二本体部位から前記第二空間を区画する第二内周面に向かって外側に突出する第二突出部位と、を有し、前記ケースにおける前記第一開口を区画する開口縁及び前記第二開口を区画する開口縁は、それぞれ、内側に延びる鍔部を有してもよい。
【００１５】
かかる構成によれば、第一突出部位や第二突出部位が第一空間を区画する第一内周面や第二空間を区画する第二内周面に向かって突設されているため、第一本体部位や第二本体部位が第一内周面や第二内周面から離れることにより、第一本体部位や第二本体部位の大消しゴムや小消しゴムの進退時における移動の滑りが良好となる。しかも、大消しゴムや小消しゴムがケースから進出した状態において鍔部によってぐらつきが規制されるため、安定的に使用される。
【００１６】
本考案にかかるケース入り消しゴムは、前記消しゴムケースと、前記大消しゴムと、前記小消しゴム、とを備える、ことを特徴とする。
【００１７】
かかる構成によれば、第一進退手段により大消しゴムを進出させると共に第二進退手段により小消しゴムを退避させることで、大消しゴムにより広い範囲を容易に消すことができる。また、第一進退手段により大消しゴムを退避させると共に第二進退手段により小消しゴムを進出させることで、小消しゴムにより狭い範囲を容易に消すことができる。
【考案の効果】
【００１８】
本実施形態の消しゴムケースによれば、消したい文字等の記載された面積が広い場合には大消しゴムを進出させ、消したい文字等の記載された面積が狭い場合には小消しゴムを進出させることで、大きさの異なる消しゴムを使い分けすることが可能であり便利である。
【図面の簡単な説明】
【００１９】
【図１】図１は、本考案の一実施形態に係るケース入り消しゴムの消しゴムケースの斜視図である。
【図２】図２は、同実施形態に係るケース入り消しゴムの幅広側面側から視た側面図である。
【図３】図３は、同実施形態に係るケース入り消しゴムの幅狭側面側から視た側面図である。
【図４】図４は、同実施形態に係るケース入り消しゴムの斜視図である。
【図５】図５は、図２のＶ−Ｖ位置における断面図である。
【図６】図６は、図３のＶＩ−ＶＩ位置における断面図である。
【図７】図７は、図６から小消しゴムを進出させた状態の断面図である。
【図８】図８は、従来のケース入り消しゴムの斜視図である。
【考案を実施するための形態】
【００２０】
以下、本考案に係る消しゴムケース及びケース入り消しゴムの一実施形態について、図１〜図７を参照しつつ説明する。本考案に係る消しゴムケースは、大きさの異なる消しゴムをそれぞれ進退可能な進退手段を備えた消しゴムケースである。
【００２１】
例えば、図１〜図３に示すように、消しゴムケース２は、例えば、ケース５と、蓋８と、を備える。この消しゴムケース２に、図４に示すように、大消しゴム３、及び、大消しゴム３よりも小さい小消しゴム４を収納されることで、消しゴムケース２、大消しゴム３、及び、小消しゴム４は、ケース入り消しゴム１となる。即ち、ケース入り消しゴム１は、消しゴムケース２と、大消しゴム３と、小消しゴム４と、を備える。
【００２２】
消しゴムケース２は、大消しゴム３及び小消しゴム４を収納可能であると共に開口Ｏが形成されたケース５と、大消しゴム３を開口Ｏから進出させることが可能であると共に開口Ｏから進出した大消しゴム３をケース５内に退避させることが可能である第一進退手段６と、小消しゴム４を開口Ｏから進出させることが可能であると共に開口Ｏから進出した小消しゴム４をケース５内に退避させることが可能である小消しゴム４を進退可能な第二進退手段７と、を備える（図４参照）。本実施形態の消しゴムケース２の材質は、例えば、合成樹脂である。尚、消しゴムケース２は、金属製や紙製など他の材質により形成されていてもよい。
【００２３】
本実施形態のケース５は、箱型である。具体的に、このケース５は、角が丸まった略六面体のうち一つの面が取り除かれた箱型（例えば、略直方体のうち長手方向における一方の端面が取り除かれた箱型）である。また、このケース５は、底部５０と、底部５０に接続された側部５１とを含む有底筒型である。本実施形態のケース５では、底部５０と側部５１とは別体であり、底部５０は側部５１に対して着脱可能に取り付けられている。
【００２４】
底部５０は、例えば、箱型や板状等である。本実施形態の底部５０は、角が丸まった略直方体のうち短手方向における一方の端面が取り除かれた箱型である。底部５０は、一対の長辺５０１及び一対の短辺５０２を有する。具体的に、底部５０の端縁５００は、一対の長辺５０１及び一対の短辺５０２を有する略長方形の枠状の面である。
【００２５】
側部５１は、角が丸まった角筒状である。また、側部５１は、一対の長辺５０１にそれぞれ接続された一対の幅広側面５２と、一対の短辺５０２にそれぞれ接続された一対の幅狭側面５３と、有する（図１参照）。一対の幅広側面５２及び一対の幅狭側面５３は、例えば、それぞれ略長方形の板状である。一対の幅狭側面５３の幅（短手方向における寸法）は、それぞれ幅広側面５２の幅よりも狭い。また、一対の幅狭側面５３の長手方向における寸法は、それぞれ幅広側面５２の長手方向における寸法と略同じである。本実施形態の一対の幅狭側面５３には、例えば、それぞれスリット５３０が形成されている。スリット５３０は、幅狭側面５３の長手方向に延びている。また、スリット５３０には、幅（スリット５３０の延伸方向と直交する方向における幅）が広くなる部位が間欠的に設けられている。
【００２６】
本実施形態のケース５の内側には、ケース５内の空間Ｓを仕切る仕切り壁（仕切り部材）５４が設けられている。具体的に、ケース５の内側には、空間Ｓを仕切る仕切り壁５４が設けられている。仕切り壁５４は、空間Ｓを、大消しゴム３を進退可能に収納する第一空間Ｓ１と、小消しゴム４を進退可能に収納する第二空間Ｓ２と、に仕切っている。本実施形態の仕切り壁５４は、底部５０と別体であると共に、側部５１と一体である。第一空間Ｓ１は、一対の幅狭側面５３のうち一方の幅狭側面５３１側に配置されている。また、第一空間Ｓ１には、第一開口Ｏ１が形成されている。第二空間Ｓ２は、一対の幅狭側面５３のうち他方の幅狭側面５３２側に配置されている。また、第二空間Ｓ２は、第一空間Ｓ１よりも狭い。第二空間Ｓ２には、第二開口Ｏ２が形成されている。第二開口Ｏ２の面積は、第一開口Ｏ１の面積よりも狭い。尚、第一開口Ｏ１の開口縁５６や第二開口Ｏ２の開口縁５７は、側部５１の開口Ｏ側の端縁及び仕切り壁５４の開口Ｏ側の端縁により構成されている。
【００２７】
本実施形態のケース５では、開口Ｏは長方形状である。開口Ｏを区画する開口縁５５は、内側に延びる鍔部５５０を有する。鍔部５５０は、開口縁５５の内側の少なくとも一部に延びていればよく、例えば、開口縁５５の内側の全体に延びている。
【００２８】
また、本実施形態のケース５では、第一開口Ｏ１の開口縁５６の内側の少なくとも一部（例えば、開口縁５６の内側の全体）に延びる鍔部５６０を有する。さらに、第二開口Ｏ２の開口縁５７の内側の少なくとも一部（例えば、開口縁５７の内側の全体）に延びる鍔部５７０を有する。
【００２９】
本実施形態の第一進退手段６は、図６及び図７に示すように、大消しゴム３のケース５に対する進退を操作するための第一操作部６０と、第一空間Ｓ１内に配置され且つ大消しゴム３を保持可能な第一保持部６１と、を備える。この第一進退手段６は、一方の幅狭側面５３１から外方へ突設されるように、第一空間Ｓ１内に配置されている。
【００３０】
同様に、本実施形態の第二進退手段７は、小消しゴム４のケース５に対する進退を操作するための第二操作部７０と、第二空間Ｓ２内に配置され且つ小消しゴム４を保持可能な第二保持部７１と、を備える。この第二進退手段７は、他方の幅狭側面５３２から外方へ突設されるように、第二空間Ｓ２内に配置されている。
【００３１】
第一操作部６０は、例えば、底部５０側と開口Ｏ（第一開口Ｏ１）側との間において（図５〜図７における上下方向において）進退可能なスライダーである。第二操作部７０は、例えば、底部５０側と開口Ｏ（第二開口Ｏ２）側との間において（図５〜図７における上下方向において）移動可能なスライダーである。
【００３２】
具体的に、第一操作部６０や第二操作部７０は、幅狭側面５３（一方の幅狭側面５３１や他方の幅狭側面５３２）の長手方向においてスライド移動可能である（図６、図７参照）。より具体的に、第一操作部６０や第二操作部７０は、内側に向かって押した状態で上下方向に移動させることによりスライダーをスライド移動可能な釦部位６００、７００と、釦部位６００、７００と第一保持部６１や第二保持部７１とを接続する接続部位６０１、７０１と、を有する。接続部位６０１、７０１は、それぞれ、幅狭側面５３（一方の幅狭側面５３１や他方の幅狭側面５３２）のスリット５３０の幅方向に突設され、且つ、幅狭側面５３（一方の幅狭側面５３１や他方の幅狭側面５３２）におけるスリット５３０の幅が狭くなる部位を区画する面と係止可能な係止領域６０２、７０２を含む。
【００３３】
第一保持部６１は、大消しゴム３を保持可能であると共に、大消しゴム３を進退させるように第一空間Ｓ１内で移動可能な第一本体部位６１０と、第一本体部位６１０から第一空間Ｓ１を区画する第一内周面５８１に向かって外側に突出する第一突出部位６１１と、を有する。第一本体部位６１０は、大消しゴム３を内部に収納する台座領域６１２と、台座領域６１２及び接続部位６０１と接続されるバネ領域６１３と、を含む。同様に、第二保持部７１は、小消しゴム４を保持可能であると共に、小消しゴム４を進退させるように第二空間Ｓ２内で移動可能な第二本体部位７１０と、第二本体部位７１０から第二内周面を区画する第二内周面５８２に向かって外側に突出する第二突出部位７１１と、を有する。第二本体部位７１０は、小消しゴム４を内部に収納する台座領域７１２と、台座領域７１２及び接続部位７０１と接続されるバネ領域７１３と、を含む。
【００３４】
台座領域６１２、７１２は、例えば、大消しゴム３の端部や小消しゴム４の端部（図６、図７における下端部）を内部に固定可能な箱型である。釦部位６００、７００が内側に押されることで、バネ領域６１３、７１３が内側に縮むことに伴い、接続部位６０１、７０１の係止領域６０２、７０２が内側に移動して、スリット５３０の幅が狭くなる部位を区画する面から係止領域６０２、７０２が外れることになる。このように、釦部位６００、７００が内側に押されることで、第一進退手段６や第二進退手段７をスライド移動させることができる。
【００３５】
第一突出部位６１１は、第一空間Ｓ１を区画する第一内周面５８１に向かって外側に突出する（図５〜図７参照）。本実施形態の第一突出部位６１１の突出方向における先端縁は、第一内周面５８１に接触している。第二突出部位７１１は、第二空間Ｓ２を区画する第二内周面５８２に向かって外側に突出する。本実施形態の第二突出部位７１１の突出方向における先端縁は、第二内周面５８２に接触している。また、本実施形態の第一突出部位６１１や第二突出部位７１１は、例えば、半球状である。
【００３６】
本実施形態の大消しゴム３及び小消しゴム４は、例えば、いずれも直方体状である。大消しゴム３の進退方向から視た面（進退方向に直交する断面）の面積は、小消しゴム４の進退方向から視た面（進退方向に直交する断面）の面積よりも大きい。具体的に、大消しゴム３及び小消しゴム４の材料は同じ材料であり、大消しゴム３及び小消しゴム４の硬さ、色、香り等はいずれも同じである。
【００３７】
蓋８は、ケース５における開口Ｏ側の端部に取り付け可能である。蓋８は、ケース５の開口Ｏ側の端部に取り付けられた状態において、この端部を閉塞する。蓋８は、箱状の本体部８０と、本体部８０の外周面から突出する少なくとも一つ（例えば、複数の）突部８１と、を有する。
【００３８】
以上の消しゴムケース２によれば、消したい対象の範囲が広い場合には、第一進退手段６により大消しゴム３を進出させると共に第二進退手段７により小消しゴム４を退避させることで、大消しゴム３により広い範囲を容易に消すことができる。また、消したい対象の範囲が狭い場合には、第一進退手段６により大消しゴム３を退避させると共に第二進退手段７により小消しゴム４を進出させることで、小消しゴム４により狭い範囲を容易に消すことができる。
【００３９】
上記実施形態の消しゴムケース２によれば、大消しゴム３が進退する第一空間Ｓ１と小消しゴム４が進退する第二空間Ｓ２とが仕切り壁５４により仕切られているため、大消しゴム３が小消しゴム４の進退を邪魔したり、小消しゴム４が大消しゴム３の進退を邪魔したりすることを抑制できる。
【００４０】
また、上記実施形態の消しゴムケース２によれば、第一操作部６０が一方の幅狭側面５３１から突設されると共に、第二操作部７０が他方の幅狭側面５３２から突設されているため、使用者が、大消しゴム３や小消しゴム４で文字等を消す際にケース５の幅広側面５２を持ちやすく、安定的に消しゴムケース２を保持することができる。
【００４１】
さらに、上記実施形態の消しゴムケース２によれば、開口Ｏが鍔部５５０の分だけケース５の内部よりも狭くなっているため、大消しゴム３や小消しゴム４はケース５から進出した状態において鍔部５５０によってぐらつきが規制されることにより、安定的に使用される。
【００４２】
上記実施形態の消しゴムケース２によれば、第一突出部位６１１や第二突出部位７１１が第一空間Ｓ１を区画する第一内周面５８１や第二空間Ｓ２を区画する第二内周面５８２に向かって突設されているため、第一本体部位６１０や第二本体部位７１０が第一空間Ｓ１を区画する第一内周面５８１や第二空間Ｓ２を区画する第二内周面５８２から離れることにより、第一本体部位６１０や第二本体部位７１０の大消しゴム３や小消しゴム４の進退時における移動の滑りが良好となる。しかも、大消しゴム３や小消しゴム４がケースから進出した状態において、第一開口Ｏ１を区画する開口縁５６から延びる鍔部５６０や第二開口Ｏ２を区画する開口縁５７から延びる鍔部５７０によってぐらつきが規制されるため、安定的に使用される。
【００４３】
上記実施形態の消しゴムケース２によれば、消したい対象の範囲がさらに広い場合には、第一進退手段６により大消しゴム３を進出させると共に第二進退手段７により小消しゴム４を進出させる、即ち、大消しゴム３及び小消しゴム４の両方を進出させることで、大消しゴム３及び小消しゴム４の両方を用いてさらに広い範囲を容易に消すことができる。
【００４４】
上記実施形態のケース入り消しゴム１によれば、蓋８の本体部８０から突部８１が突出している。これにより、蓋８を消しゴムケース２から取り外すために蓋８を保持すると、突部８１が滑り止めとなるため、蓋８の取り外しが容易である。
【００４５】
尚、本考案の消しゴムケースは、上記実施形態に限定されるものではなく、本考案の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００４６】
例えば、消しゴムケース２の外周面に、模様や柄等が付されていてもよい。この場合、ケース５に加えて蓋８にも、模様や柄等が付されていてもよい。尚、消しゴムケース２には、蓋８が取り付けられなくてもよい。
【００４７】
上記実施形態の消しゴムケース２は、消しゴムとして大消しゴム３及び小消しゴム４を一つずつ収納していたが（計二つ収納していたが）、これら二つの消しゴムに加えて、大消しゴム３や小消しゴム４と同じ大きさの消しゴムや大きさの異なる消しゴムがケース５に収納されてもよい。即ち、大きさの異なる一組の消しゴムを含む三つ以上の複数の消しゴムを消しゴムがケース５に収納されてもよい。
【００４８】
また、ケース５は、角が丸まった略六面体（例えば、略直方体状）以外の多面体の箱型であってもよい。また、ケース５は、有底円筒状（筒軸方向から視て楕円形状である円筒状を含む）等であってもよい。
【００４９】
上記実施形態のケース５では、底部５０と側部５１とが別体であり、側部５１と仕切り壁５４とが一体であったが、底部５０、側部５１、及び仕切り壁５４のいずれもが別体或いは一体であってもよいし、これらのうち底部５０と仕切り壁５４のみが一体であってもよい。また、ケース５は、仕切り壁５４を有していなくてもよい。この場合、開口Ｏや空間Ｓは仕切られないため、仕切り壁５４の分だけケース５を小型化できる。
【００５０】
底部５０は、板状である場合、例えば、一対の長辺５０１及び一対の短辺５０２を有する略長方形の板状であってもよい。この場合においても、一対の幅広側面５２は一対の長辺５０１にそれぞれ接続され、一対の幅狭側面５３は一対の短辺５０２にそれぞれ接続されればよい。
【００５１】
第一進退手段６や第二進退手段７は、スライダー以外の構成、例えば、ノックにより大消しゴム３や小消しゴム４を進退させる構成であってもよい。第一保持部６１や第二保持部７１は、第一突出部位６１１や第二突出部位７１１を含んでいなくてもよい。また、第一保持部６１や第二保持部７１は、大消しゴム３や小消しゴム４を固定可能な固定領域（例えば、大消しゴム３や小消しゴム４の底部に刺さる爪領域）を含む板状の部材等であってもよい。さらに、第一保持部６１や第二保持部７１は、大消しゴム３や小消しゴム４と接着剤等により固定されていてもよい。
【００５２】
大消しゴム３及び小消しゴム４の材料は異なっていてもよく、この場合、大消しゴム３及び小消しゴム４の硬さ、色、香り等が異なってもよい。また、大消しゴム３や小消しゴム４の形状は、直方体以外の多角形状や円柱状等であってもよい。
【００５３】
以上のような構成であっても、消したい対象の範囲が広い場合には、第一進退手段６により大消しゴム３を進出させると共に第二進退手段７により小消しゴム４を退避させることで、大消しゴム３により広い範囲を容易に消すことができる。また、消したい対象の範囲が狭い場合には、第一進退手段６により大消しゴム３を退避させると共に第二進退手段７により小消しゴム４を進出させることで、小消しゴム４により狭い範囲を容易に消すことができる。
【符号の説明】
【００５４】
１…ケース入り消しゴム、２…消しゴムケース、３…大消しゴム、４…小消しゴム、５…ケース、５０…底部、５００…端縁、５０１…長辺、５０２…短辺、５１…側部、５２…幅広側面、５３、５３１、５３２…幅狭側面、５３０…スリット、５４…仕切り壁（仕切り部材）、５５、５６、５７…開口縁、５５０、５６０、５７０…鍔部、５８…内周面、５８１…第一内周面、５８２…第二内周面、６…第一進退手段、６０…第一操作部、６００…釦部位、６０１…接続部位、６０２…係止領域、６１…第一保持部、６１０…第一本体部位、６１１…第一突出部位、６１２…台座領域、６１３…バネ領域、７…第二進退手段、７０…第二操作部、７００…釦部位、７０１…接続部位、７０２…係止領域、７１…第二保持部、７１０…第二本体部位、７１１…第二突出部位、７１２…台座領域、７１３…バネ領域、８…蓋、８０…本体部、８１…突部、１０１…ケース入り消しゴム、１０２…消しゴムケース、１０３…消しゴム、１１２…スリット、１７０…スライダー、１０３…消しゴム、Ｓ…空間、Ｓ１…第一空間、Ｓ２第二空間、Ｏ…開口、Ｏ１…第一開口、Ｏ２…第二開口
【図１】
0003217446.tif 000003
【図２】
0003217446.tif 000004
【図３】
0003217446.tif 000005
【図４】
0003217446.tif 000006
【図５】
0003217446.tif 000007
【図６】
0003217446.tif 000008
【図７】
0003217446.tif 000009
【図８】
0003217446.tif 000010